(57)【要約】      （修正有）【課題】光ピックアップが光ディスクの不良セクションを通過した後に正しいドラックをアクセスすることができる光ディスク駆動装置を提供する。【解決手段】トラックゼロクロス信号の遅延に基づいて制御信号を生成する。該制御信号により光ディスク駆動装置の光ピックアップがトラックを横切るかを確定することができる。光ピックアップが光ディスクの不良セクションを読み込んでいるときに、光ディスク駆動装置が光ピックアップの移動を訂正せず、光ピックアップが光ディスクの不良セクションを通過した後に、光ディスク駆動装置が前記制御信号に基づいてトラック駆動信号の利得を調整する。【選択図】図５
0003135226.tif 000002
【実用新案登録請求の範囲】
【請求項１】
光ピックアップ、スピンドルモータ、モータコントローラ、フォーカスコントローラ、トラックコントローラ、マイクロプロセッサ、サーボシステム、信号コンバータ及び前置増幅器を含み、当該光ピックアップが光ディスクの不良セクションを通過した後に正しいドラックをアクセスできる光ディスク駆動装置であって、
前記光ディスク駆動装置は、トラックゼロクロス信号の遅延に基づいて制御信号を生成し、前記光ピックアップがトラキング不可なセクションからトラッキング可能なセクションに進入することを示すトラックエラー信号を生成し、当該トラックエラー信号に基づいて当該光ディスク駆動装置により生成されたトラック駆動信号の利得を調整する、
光ディスク駆動装置。
【請求項２】
前記制御信号は、前記光ディスク駆動装置により生成された前記トラックゼロクロス信号の立ち上がりと立ち下りのパルス遅延期間に基づいて生成されたトラックゼロクロス遅延信号により生成される、
請求項１に記載の光ディスク駆動装置。
【請求項３】
前記トラックエラー信号は前記光ピックアップがトラッキング不可なセクションからトラッキング可能なセクションに進入することを示すときに、前記制御信号は高いレベルであれば、前記トラック駆動信号の利得を調整する、
請求項１に記載の光ディスク駆動装置。
【請求項４】
前記トラック駆動信号の利得の調整は、前記制御信号に基づいて前記光ディスク駆動装置により生成されたトラック駆動信号の利得を増加または減少することである、
請求項１に記載の光ディスク駆動装置。
【請求項５】
前記光ディスク駆動装置に生成されたトラックエラー信号に基づいて、前記光ピックアップが前記正しいトラックをアクセスするかどうかを検知する、
請求項１に記載の光ディスク駆動装置。
【請求項６】
前記光ピックアップが前記光ディスクの不良セクションを通過する際に欠陥信号を生成する、
請求項１に記載の光ディスク駆動装置。
【請求項７】
前記制御信号に基づいて前記光ピックアップがトラックをシフトするかどうかを検知する、
請求項１に記載の光ディスク駆動装置。
【考案の詳細な説明】
【技術分野】
【０００１】
本考案は、光ディスク駆動装置に関し、特に、光ピックアップが光ディスクの不良セクションを通過した後に正しいドラックをアクセスすることができる光ディスク駆動装置に関する。
【背景技術】
【０００２】
図１を参照する。図１は、従来技術による光ディスク駆動装置の構成図である。図１に示すように、光ディスク駆動装置１０は、光ピックアップ１２、スピンドルモータ１４、モータコントローラ１６、フォーカスコントローラ１８、トラックコントローラ２０、マイクロプロセッサ２２、サーボシステム２４及び信号コンバータ２６を含む。光ピックアップ１２は、所定のパワーと所定の波長で光ディスク１１にレーザービームＬｉを出力する。光ディスク１１は、スピンドルドラック２８を有する。トラック２８は、複数のランドとピットで表われるＥＦＭ変調（Ｅｉｇｈｔ−ｔｏ−Ｆｏｕｒｔｅｅｎ  Ｍｏｄｕｌａｔｉｏｎ：ＥＦＭ）データを有する。レーザービームＬｉがランドとピットに接触する際に、ランドとピットがレーザービームＬｉを反射し、レーザービームＬｒを生成する。光ピックアップ１２は、レーザービームＬｒに基づいて対応するアナログ信号ＥＦＭａを生成する。続いて、信号コンバータ２６は、アナログ信号ＥＦＭａをデジタル信号ＥＦＭｄに変換する。最後に、マイクロプロセッサ２２は、デジタル信号ＥＦＭｄを処理し記憶データを得ることができる。
【０００３】
光ディスク１１が光ディスク駆動装置１０に置かれる際に、マイクロプロセッサ２２は、モータコントローラ１６を駆動してスピンドルモータ１４の回転速度を調整し、また、サーボシステム２４を駆動して光ピックアップ１２の移動を調整する。レーザービームＬｉがトラック２８にフォーカスすることができない、或いは、トラック２８から外れる際に、光ピックアップ１２により生成されたアナログ信号ＥＦＭａは、エラーを有する。よって、光ピックアップ１２は、反射されたレーザービームＬｒに基づいてフォーカスエラー信号Ｆｅとトラックエラー信号ＴＥを生成する。フォーカスコントローラ１８は、フォーカスエラー信号ＦＥに基づいてフォーカス駆動信号ＦＯＯをサーボシステム２４に出力する。トラックコントローラ２０は、トラックエラー信号ＴＥに基づいてトラック駆動信号ＴＲＯをサーボシステム２４に出力する。サーボシステム２４は、フォーカス駆動信号ＦＯＯに基づいて光ピックアップ１２と光ディスク１１との間の距離を調整し、また、トラック駆動信号ＴＲＯに基づいて光ピックアップ１２の、光ディスク１１と平行する移動を調整することができる。
【０００４】
光ディスク１１が擦られ、或いは、損傷されることにより、欠陥を形成する場合、光ディスク１１の不良セクションと良好領域から反射されたレーザービームＬｒが異なる。光ディスク駆動装置１０は、光ディスク１１の異なる領域から反射されたレーザービームＬｒの不同に基づいて光ディスク１１の不良セクションを検知するための欠陥検知システムを有する。従来技術による、光ディスク１１の不良セクションを検知する方法は、光ディスク１１から瞬時に反射されたレーザービームの強度と所定の期間内に反射されたすべてのレーザービームＬｒの平均強度とを比較するのである。その比較結果が所定の値より大きい場合、光ディスク駆動装置１０は、光ピックアップ１２が不良セクションを読み込んでいることを示す欠陥信号を生成する。光ピックアップ１２が不良セクションを読み込んでいる時にサーブシステム２４がフォーカスエラー信号ＦＥとトラックエラー信号ＴＥに基づいて光ピックアップ１２の移動を訂正することができない。そのため、光ピックアップ１２が元の方向に沿って不良セクションを通過し続ける。光ピックアップ１２は、不良セクションを通過した後に、元のトラックから外れる可能性がある。従って、サーボシステム２４がフォーカスエラー信号ＦＥとトラックエラー信号ＴＥに基づいて光ピックアップ１２の移動を訂正すれば、光ピックアップ１２が間違いトラックをアクセスする恐れがある。
【考案の開示】
【考案が解決しようとする課題】
【０００５】
本考案の目的は、光ピックアップが光ディスクの不良セクションを通過した後に正しいドラックをアクセスすることができる光ディスク駆動装置を提供することにある。
【課題を解決するための手段】
【０００６】
前述した目的を達成するために、本考案による光ディスク駆動装置は、トラックゼロクロス（Ｔｒａｃｋｉｎｇ  Ｚｅｒｏ  Ｃｒｏｓｓｉｎｇ：ＴＺＣ）信号を生成し、そして、このＴＺＣ信号に基づいて制御信号を生成し、また、光ピックアップがトラッキング不可なセクションからトラッキング可能なセクションに進入することを示すトラックエラー（ＴＥ）信号に基づいてトラック駆動信号の利得を生成し、そして、この利得を調整する。
【考案の効果】
【０００７】
本考案は、光ピックアップが光ディスクの不良セクションを通過した後に正しいドラックをアクセスすることができる光ディスク駆動装置を提供する。
【考案を実施するための最良の形態】
【０００８】
次に、添付した図面を参照しながら、本考案の好適な実施形態を詳細に説明する。
【０００９】
図１と図２を参照する。図２は、不良セクション３８を有する光ディスク３０を示す図である。本実施例における本考案は、図１に示される光ディスク駆動装置１０を用いて不良セクション３８を有する光ディスク３０を読み込む。光ディスク３０は、複数のトラック３２を有する。複数のトラック３２は、長さの異なる複数のランド３４とピット３６でデータを表す。光ピックアップ１２は、所定のパワーで光ディスク１２にレーザービームＬｉを出力する。レーザービームＬｉがランド３４とピット３６に接触する際に、ランド３４とピット３６がレーザービームＬｉを反射し、これにより、光ピックアップ１２が反射されたレーザービームに基づいて電気信号を生成し、また、マイクロプロセッサ２２が
光ディスクのデータを読み込むことができる。また、光ピックアップ１２は、反射されたレーザービームに基づいてフォーカスエラー信号ＦＥとトラックエラー信号ＴＥを生成し、これにより、光ディスク駆動装置１０が光ピックアップ１２の移動を訂正し、また、光ピックアップ１２が不良セクション３８を通過しているかどうかを確定することができる。しかし、光ピックアップ１２が不良セクション３８を通過しているときに、光ディスク駆動装置１０が光ピックアップ１２の移動を訂正しない。光ピックアップ１２が不良セクション３８を通過した後に、光ディスク駆動装置１０がフォーカスエラー信号ＦＥとトラックエラー信号ＴＥに基づいて光ピックアップ１２を、正しいトラック３２をアクセスできるように調整させる。
【００１０】
図１と図３を参照する。図３は、本考案に係わる制御信号の波状を示す図である。光ディスク駆動装置１０が光ディスク３０を読み込むときに、光ディスク駆動装置１０は、ＴＺＣ信号を生成し、光ピックアップ１２の横切りとトラックの移動を制御する。また、光ディスク駆動装置１０がＴＺＳ信号の遅延パルスの立ち上がりエッジと立下りエッジに基づいてＴＺＣ遅延信号ＴＺＣＥＧを生成し、そして、このＴＺＣ遅延信号ＴＺＣＥＧに基づいて制御信号Ｃｏｕｔを生成する。制御信号Ｃｏｕｔが光ディスク駆動装置１０の前置増幅器に用いられ、光ピックアップ１２がトラック３２と横切る状態を示す。光ピックアップ１２が光ディスクの不良セクション３８を通過しているときに、光ディスク駆動装置１０がトラックエラー信号ＴＥに基づいて光ピックアップ１２の移動を訂正できないので、光ピックアップ１２が元の方向に沿って不良セクション３８を通過し続ける。これのより、光ピックアップ１２が不良セクションを通過した後に元のトラック３２から外れる可能性がある。従って、光ディスク駆動装置１０は、光ディスク３０を読み込むときに制御信号Ｃｏｕｔを生成し、これにより、光ディスク駆動装置１０は、この制御信号Ｃｏｕｔに基づいて光ピックアップ１２が不良セクション３８を通過した後に元のトラック３２から外れるかどうかを検知し、光ディスク駆動装置１０のトラック駆動信号ＴＲＯを調整する。よって、光ディスク駆動装置１０は、光ピックアップ１２の、光ディスク３０の元のトラック３２に沿う移動を制御し、光ディスク３０のデータを読み込むことができる。
【００１１】
図１と図４を参照する。図４は、本実案によるトラックのアクセスに係わる波形を示す図である。光ディスク駆動装置１０の欠陥検知システムは、光ピックアップ１２が不良セクション３８を通過していることを示す欠陥信号ＤＦを生成する。メーンビーム合計信号ＰＥが、光ピックアップ１２の出力レーサービームＬｉと反射されたレーザービームＬｒの合計を示すものである。光ディスク駆動装置１０は、トラック駆動信号ＴＲＯを用いて光ピックアップ１２の水平移動を制御する。トラックエラー信号ＴＥは、光ピックアップ１２の水平移動のエラーを示す。欠陥信号ＤＦは、光ディスク駆動装置１０が光ディスク３０の不良セクション３８を読み込んでいるときに高いレベルに上がる。欠陥信号ＤＦが高いレベルである期間に、光ピックアップ１２は、反射されたレーザービームを正確に取り受けることができない。よって、メーンビーム合計信号ＰＥとトラックエラー信号ＴＥは、光ディスク駆動装置１０により読み込むことができない低いレベルであり、これにより、光ディスク駆動装置１０は、トラックエラー信号ＴＥに基づいて光ピックアップ１２の移動を訂正することができない。そのため、光ピックアップ１２は、元の方向に沿って不良セクションを通過し続ける。光ピックアップ１２が不良セクション３８を通過した後に、光ディスク駆動装置１０は、トラックエラー信号に基づいて光ピックアップ１２の移動を訂正することができる。しかしながら、このときには、光ピックアップ１２は元のトラックから外れる可能性がある。本実案によるトラックのアクセスに係わる光ディスク駆動装置１０の方法では、光ピックアップ１２が不良セクション３８を通過した後に、光ディスク駆動装置１０は、制御ウィンドウ４２を開いて、制御信号Ｃｏｕｔを監視する。制御ウィンドウにある制御信号Ｃｏｕｔのレベルが高い場合、光ピックアップ１２が元のトラックから外れる可能性がある。よって、光ディスク駆動装置１０が制御ウィンドウ１２においてトラック駆動信号を調整し、例えば、トラック信号ＴＲＯの利得を増加または減少させる。同時に、光ディスク駆動装置１０は、トラックエラー信号ＴＥに基づいて光ピックアップ１２の移動を訂正し、これにより、光ピックアップ１２は、元のトラックを追跡することができる。
【００１２】
図５を参照する。図５は、本考案によるドラックのアクセスに係わるフローチャートである。フローチャートに係わるステップは、次の通りである。
【００１３】
ステップ５００：スタートする。光ディスク駆動装置１０の光ピックアップ１２が光ディスク３０のトラック３２に沿って移動しながらレーザービームＬｉを出力し、これにより、光ディスク駆動装置１０は、ランド３４とピット３６により記憶された光ディスク３０のデータを読み込むことができる。また、光ディスク駆動装置１０は、ＴＺＣ遅延信号ＴＺＶＥＧに基づいて制御信号Ｃｏｕｔを生成し、この制御信号は、光ピックアップ１２がトラック３２と交差するときの状態を示す。
【００１４】
ステップ５１０：欠陥信号ＤＦが高いかどうかを検知する。高ければ、ステップ５２０に進み、そうでなければ、ステップ５００に戻す。
【００１５】
ステップ５２０：欠陥信号ＤＦのレベルが高い場合、光ディスク駆動装置１０は、摩擦または損傷による不良セクションを通過していることを検知する。よって、光ディスク駆動装置１０は、メーンビーム合計信号ＰＥとトラックエラー信号ＴＥを確定することができない。これにより、光ディスク駆動装置１０は、トラックエラー信号ＴＥに基づいて、光ピックアップ１２の移動を訂正することができず、また、光ピックアップ１２が元の方向に沿って移動し続ける。
【００１６】
ステップ５３０：欠陥信号ＤＦのレベルが依然高いかどうかを確定する。依然高ければ、ステップ５２０に進み、そうでなければ、ステップ５４０に進む。
【００１７】
ステップ５４０：光ピックアップ１２が不良セクション３８を通過しているので、光ディスク駆動装置１０が正しいデータを読み込むようトラック３２を再び追跡しなければならない。光ディスク駆動装置１０は、トラック駆動信号ＴＲＯを調整するように制御ウィンドウ４２を開いて制御信号Ｃｏｕｔを監視する。光ディスク駆動装置１０は、制御信号Ｃｏｕｔに基づいてトラック駆動信号ＴＲＯの利得を増加または減少することができ、また、トラックエラー信号ＴＥに基づいて光ピックアップ１２の移動を訂正し、これにより、光ピックアップ１２は、元のトラックをアクセスすることができる。
【００１８】
ステップ５５０：エンドする。
【００１９】
前述したように、本考案による光ディスク駆動装置が光ディスクを読み込むときに、光ディスク装置がＴＺＣ信号の遅延に基づいて制御信号を生成する。制御信号は、光ディスク駆動装置の光ピックアップがトラックを横切るかどうかを検知できる。また、光ディスク駆動装置は、光ピックアップが光ディスクの不良セクションを通過していることを示す欠陥信号を生成する。しかし、光ディスク駆動装置は、光ピックアップが不良セクションを通過するときにトラックエラー信号に基づいて光ピックアップの移動を訂正することができるので、この時点で、光ピックアップが元のトラックから外れる可能性がある。よって、本考案は、光ピックアップが光ディスクの不良セクションを通過した後に、正しいトラックを追跡できる光ディスク駆動装置を提供する。光ピックアップが光ディスクの不良セクションを通過した後に、光ディスク駆動装置が制御ウィンドウを開いて制御信号に基づいてトラック駆動信号の利得を調整する。これにより、光ピックアップが不良セクションを通過した後に間違いトラックをアクセスする可能性があるといった問題を改善することができる。
【００２０】
以上、本考案の好ましい実施形態を説明したが、本考案はこの実施形態に限定されず、本考案の趣旨を離脱しない限り、本考案に対するあらゆる変更は本考案の範囲に属する。
【図面の簡単な説明】
【００２１】
【図１】従来技術による光ディスク駆動装置の構成図である。
【図２】不良セクションを有する光ディスクを示す図である。
【図３】本考案に係わる制御信号の波状を示す図である。
【図４】本考案によるトラックのアクセスに係わる波形を示す図である。
【図５】本考案によるドラックのアクセスに係わるフローチャートである。
【符号の説明】
【００２２】
１０  光ディスク駆動装置
１１  光ディスク
１２  光ピックアップ
１４  スピンドルモータ
１６  モータコントローラ
１８  フォーカスコントローラ
２０  トラックコントローラ
２２  マイクロプロセッサ
２４  サーボシステム
２６  信号コンバータ
２８  スピンドルドラック
３０  光ディスク
３２  トラック
３４  ランド
３６  ピット
３８  不良セクション
４２  制御ウィンドウ
Ｌｉ、Ｌｒ  レーザービーム
ＴＺＣ  トラックゼロクロス
ＴＺＣＥＧ  ＴＺＣ遅延信号
Ｃｏｕｔ  制御信号
ＤＦ  欠陥信号
ＰＥ  メーンビーム合計信号
ＴＥ  トラックエラー信号
ＴＲＯ  トラック駆動信号
【図１】
0003135226.tif 000003
【図２】
0003135226.tif 000004
【図３】
0003135226.tif 000005
【図４】
0003135226.tif 000006
【図５】
0003135226.tif 000007